(57)【要約】【課題】液晶表示装置の発光効率を向上すると共に、輝度を下げずに電力消費を低減させ、またダイナミックレンジを大幅に広くし、熱陰極蛍光ランプの寿命の劣化を抑えた液晶表示装置を提供する。【解決手段】液晶パネルのバックライトを複数の熱陰極蛍光ランプと発光ダイオードアレイとで構成し、輝度および周辺温度に応じて、またユーザの選択によって発光手段を切換えて駆動することで、画質を向上しながら消費電力を低減する。熱陰極蛍光ランプの照度の低下に対応し、また寿命を長くできる。【選択図】図３
2011118286.tif 000002
【特許請求の範囲】
【請求項１】
液晶パネルに対してバックライトを照射して画像表示する液晶表示装置であって、
前記バックライトを供給するための熱陰極蛍光ランプと、
前記バックライトを供給するための発光ダイオードアレイ
を有することを特徴とする液晶表示装置。
【請求項２】
液晶パネルに対してバックライトを照射して画像表示する液晶表示装置であって、
該液晶表示装置に表示するため入力された映像輝度信号を供給され該映像輝度信号の明るさを検出する明るさ検出回路と、
該明るさ検出回路で検出された前記映像輝度信号の明るさに基づき前記バックライトの輝度制御を行う輝度制御信号を生成する制御演算回路と、
該制御演算回路で生成された輝度制御信号に基づき前記バックライトを供給する熱陰極蛍光ランプと、
該制御演算回路で生成された輝度制御信号に基づき前記バックライトを供給する発光ダイオードアレイ
を有することを特徴とする液晶表示装置。
【請求項３】
請求項２に記載の液晶表示装置において、
前記液晶パネルにおける前記バックライトの照度を検出する照度センサ回路と、
前記液晶パネルにおける温度を検出する温度センサ回路を有し、
前記制御演算回路は、
前記照度センサ回路で検出された照度ないし前記温度センサ回路で検出された温度に基づき前記バックライトの輝度制御を行う輝度制御信号を生成することを特徴とする液晶表示装置。
【請求項４】
請求項３に記載の液晶表示装置において、
前記制御演算回路は、
前記温度センサ回路で検出した温度に基づき、低温時には前記バックライトは前記発光ダイオードアレイが発光し、所定の温度以上の温度では前記バックライトは前記熱陰極蛍光ランプ、ないし熱陰極蛍光ランプと発光ダイオードアレイの双方が発光するよう、前記熱陰極蛍光ランプおよび前記発光ダイオードアレイを制御する輝度制御信号を生成することを特徴とする液晶表示装置。
【請求項５】
請求項３に記載の液晶表示装置において、
前記制御演算回路は、
前記照度センサ回路で検出した照度に基づき、前記熱陰極蛍光ランプの照度が所定値より低い場合には、前記バックライトは前記発光ダイオードアレイが発光するよう、前記熱陰極蛍光ランプおよび前記発光ダイオードアレイを制御する輝度制御信号を生成することを特徴とする液晶表示装置。
【請求項６】
請求項２に記載の液晶表示装置において、
前記バックライトを前記前記熱陰極蛍光ランプが発光するか、前記発光ダイオードアレイが発光するか、或いは前記熱陰極蛍光ランプと前記発光ダイオードアレイの双方が発光するかをユーザが選択する構成であることを特徴とする液晶表示装置。
【請求項７】
請求項３に記載の液晶表示装置において、
前記制御演算回路は、
前記照度センサ回路の検知する前記熱陰極蛍光ランプの照射する照度が、前記液晶パネルの周辺部において前記液晶パネルの中央部よりも低い場合には、
前記液晶パネルの周辺部の照度は前記発光ダイオードアレイが補うよう前記発光ダイオードアレイを制御する輝度制御信号を生成することを特徴とする液晶表示装置。
【請求項８】
請求項２に記載の液晶表示装置において、
前記制御演算回路は、
前記液晶表示装置に入力された映像コンテンツに基づき前記熱陰極蛍光ランプおよび前記発光ダイオードアレイを制御する輝度制御信号を生成することを特徴とする液晶表示装置。
【発明の詳細な説明】
【技術分野】
【０００１】
本発明は、液晶表示装置に係り、特に画質を向上した省電力なバックライト駆動をする液晶表示装置に関する。
【背景技術】
【０００２】
例えば、携帯電話機およびパソコン等の各種情報端末モニター、あるいはテレビ受像機等の表示手段として液晶表示装置が多用されている。この種の液晶表示装置は、液晶パネルに形成される画像に光を照射して可視化するものである。小型の情報機器では、この可視化のための光源に周辺光を利用するものもあるが、周辺光の状態に係らずに、あるいは比較的大きな画面で良好な画像を表示するためには、液晶パネルに照明光源として、液晶パネルの背面に設置するバックライトと称する照明光源を備え、液晶パネルに形成される画像をこの照明光源からの照明光で照射する構成としているものが多い。
【０００３】
このバックライトには大別して２種類の方式がある。一つは機器の奥行きが制限されるモニター等に用いられるサイドエッジ型バックライトである。他方は高輝度が要求される比較的大きいサイズのモニターあるいはテレビ受像機において、液晶パネルの背面直下に設置される直下型バックライトである。
特許文献１は、この種の直下型バックライトの従来例として、窒化ガリウム系発光素子を開示している。
特許文献２は、バックライトの近傍に温度センサを設け、バックライトの近傍温度が低いときは冷陰極蛍光ランプの駆動比率を上げ、また近傍温度が高い時には駆動比率を下げることにより、低温時の輝度の立ち上がりを改善し、常温時の輝度低下を抑制して冷陰極蛍光ランプの寿命を延ばす技術を開示している。
【先行技術文献】
【特許文献】
【０００４】
【特許文献１】特開平１１−８４３７号公報
【特許文献２】特開平９−２８８２６２号公報
【発明の概要】
【発明が解決しようとする課題】
【０００５】
上述のように、冷陰極蛍光ランプを採用した液晶表示装置は、低温環境におけるランプ輝度の立ち上がりの応答が遅く、ゆえに最適な調光制御がリアルタイムで追従し難い点を有しており、また連続した明るいシーンではランプおよび近傍の温度が上昇することによって発光効率が低下し、輝度が徐々に低下していくと共に、一定の輝度に対する消費電力も増大し、更にこれらの環境では、ランプ自体の寿命が短くなる問題があった。
【０００６】
また特許文献２で開示するところの、温度が低い時には冷陰極ランプの点灯駆動回路のオン比率を上げ、逆に温度が高い時にはオン比率を下げる方法では、冷陰極蛍光ランプの追従性をある程度は延ばすことはできるが、画質の安定性およびランプ寿命の劣化のみならず、ランプの点灯比率の切換えによる消費電力の増加が伴う問題があって、ユーザ主体の省電力志向に合わせた考え方とは、依然として乖離している。
【０００７】
本発明の目的は、かかる従来技術の問題点を解決し、画質を向上した省電力なバックライト駆動をする液晶表示装置を提供することにある。
【課題を解決するための手段】
【０００８】
上記目的を達成するため本発明は、液晶パネルに対してバックライトを照射して画像表示する液晶表示装置であって、前記バックライトを供給するための熱陰極蛍光ランプと、前記バックライトを供給するための発光ダイオードアレイを有することを特徴としている。
【０００９】
また本発明は、液晶パネルに対してバックライトを照射して画像表示する液晶表示装置であって、該液晶表示装置に表示するため入力された映像輝度信号を供給され該映像輝度信号の明るさを検出する明るさ検出回路と、該明るさ検出回路で検出された前記映像輝度信号の明るさに基づき前記バックライトの輝度制御を行う輝度制御信号を生成する制御演算回路と、該制御演算回路で生成された輝度制御信号に基づき前記バックライトを供給する熱陰極蛍光ランプと、該制御演算回路で生成された輝度制御信号に基づき前記バックライトを供給する発光ダイオードアレイを有することを特徴としている。
【発明の効果】
【００１０】
本発明によれば、画質を向上した省電力なバックライト駆動をする液晶表示装置を実現でき、液晶表示装置の性能向上に寄与できるという効果がある。
【図面の簡単な説明】
【００１１】
【図１】本発明の一実施例における液晶表示装置のバックライトを示す第１の基本構成図である。
【図２】本発明の一実施例における液晶表示装置のバックライトを示す第２の基本構成図である。
【図３】本発明の一実施例における液晶表示装置の回路ブロック図である。
【図４】本発明の第１の実施形態での発光輝度を示す第１のタイムチャートである。
【図５】本発明の第１の実施形態での発光輝度を示す第２のタイムチャートである。
【図６】本発明の第２の実施形態での発光輝度と周辺温度の関係を示す図である。
【図７】本発明の第３の実施形態での発光輝度と水平方向位置の関係を示す図である。
【図８】本発明の第４の実施形態での消費電力を示す第１のタイムチャートである。
【図９】本発明の第４の実施形態での消費電力を示す第２のタイムチャートである。
【発明を実施するための形態】
【００１２】
以下、本発明の実施の形態について、図を用いて詳細に説明する。尚、全図において、共通な機能を有する部分には同一符号を付して示し、一度説明したものについては、説明の煩雑さを避けるため、繰り返した符号の説明を省略する。
【００１３】
図１は、本発明の一実施例における液晶表示装置のバックライトを示す第１の基本構成図である。本実施例のバックライトでは、内部に並列配置した複数の熱陰極蛍光ランプ４と複数の発光ダイオードアレイ７とを設置したことに一つの特徴がある。ここでは２本の熱陰極蛍光ランプ４と複数の発光ダイオード７をアレイとして配置してある。発光ダイオード７は、ＲＧＢの発光ダイオードアレイを組み合わせて実質的に白色とすることも可能である。なお以下では、発光ダイオードアレイを単に発光ダイオードあるいはＬＥＤとして説明する場合もある。
【００１４】
２本の熱陰極蛍光ランプ４はランプ駆動回路５に接続され、また発光ダイオードアレイ７はＬＥＤ駆動回路６に接続され、それぞれから発光された光は導光板８の内部に照射されるように配置されている。なお、ここでは図面上で導光板８の上側には拡散板１０が設置され、下側には反射板９が設置されている。すなわち図１は、前記したサイドエッジ型バックライトを示し、画像の表示部を上向きにして図示している。この場合、熱陰極蛍光ランプ４や発光ダイオードアレイ７で発光された光は、導光板８に入射されてその内部を面方向に伝播する。その後、反射板９の導光板８との境界面で反射されてから拡散板１０の内部に照射され、面方向に均一な光となって、図面上で拡散板１０の上側に設けられた液晶（図示せず）に照明光として出射される。導光板８と反射板９の接触面は、前記した光が導光板８の面方向に対して極力均一な反射をするよう、例えば楔形の曲面を形成している。
【００１５】
図２は、本発明の一実施例における液晶表示装置のバックライトを示す第２の基本構成図である。前記した直下型バックライトの場合を示している。図２は図１と異なり、画像の表示部は図面上で手前斜め右側に向けて描かれている。本実施例の熱陰極蛍光ランプ４及び発光ダイオードアレイ７は後述する駆動回路で駆動制御され、液晶パネルに表示される映像信号の明るさに応じたバックライトの光量制御が高速で制御され、表示映像の輝度の高速応答性を、消費電力を増すことなく実現することができる。図面上で導光板８の奥側に、熱陰極蛍光ランプ４及び発光ダイオードアレイ７を挟んで反射板９を設置する。交流駆動される熱陰極蛍光ランプ４あるいは発光ダイオードアレイ７からの光が導光板８に入射される。入射された光は導光板８の内部を伝播しながら、図面上で前側の拡散板１０から図示しない液晶パネル方向に照明光として出射される。
【００１６】
次に図３から図９を用いて、本発明の実施形態を詳しく説明する。先の熱陰極蛍光ランプ４と発光ダイオードアレイ７の双方、又はいずれか一方を選択して自動制御することで、視聴環境に応じてユーザがバックライトを選択でき、同時にバックライトの電力を低減できる液晶表示装置とその駆動回路が構成できることを一つの特徴としている。すなわち、熱陰極蛍光ランプ４は大きな照度を有する反面、寿命が比較的短く、消費電力が大きい。一方、発光ダイオードアレイ７は照度がやや低い反面、寿命が長く、また一定照度を得るための消費電力が小さい。使用する状況に応じて双方の長所を生かした使い方をすることで、消費電力の低減、熱陰極蛍光ランプ４の長寿命化、表示する映像の高画質化をすることが本実施形態の狙いである。
【００１７】
図３は、本発明の一実施例（第１の実施形態）における液晶表示装置の回路ブロック図である。
本実施例は、映像信号の特性を検出してバックライトの熱陰極蛍光ランプ４および発光ダイオードアレイ７を制御する駆動回路１３、２１を備えた液晶表示装置である。図３において、この液晶表示装置は液晶パネル（ＬＣＤパネル）１４に熱陰極蛍光ランプ４と発光ダイオードアレイ７とを有するサイドエッジ型バックライトを有したものである。図３における熱陰極蛍光ランプ４および発光ダイオードアレイ７は模式的に各１つで示している。
【００１８】
ＬＣＤパネルコントローラ１７には映像入力処理回路１８から映像信号（画像表示信号）が供給される。映像入力処理回路１８はコントラスト制御回路１８Ａと、ＤＣレベル制御回路１８Ｂと、デジタルγ補正回路１８Ｃを備えている。
液晶パネル１４は、ＬＣＤパネルコントローラ１７で駆動されるＬＣＤドライバー（カラム側）１５とＬＣＤドライバー（ロー側）１６を有する。
【００１９】
熱陰極蛍光ランプ４は、点灯回路（蛍光ランプ駆動回路、ないしインバータとも呼ぶ）１３で交流駆動され、低電力の駆動電流が供給される。なお点灯回路１３は図１のランプ駆動回路５に相当するが、表示する映像や周辺環境に応じて制御演算回路２０により制御されることを新たな特徴としている。
一方、発光ダイオードアレイ７は点灯回路（ＬＥＤ駆動回路、ないし発光ダイオード駆動回路とも呼ぶ）２１を介して調光信号が供給される。なお点灯回路２１は、図１の発光ダイオード駆動回路６に相当するが、表示する映像や周辺環境に応じて制御演算回路２０により制御されることを新たな特徴としている。
【００２０】
発光ダイオード駆動回路２１には、映像信号に応じた調光信号を生成する制御演算回路２０が接続されている。この制御演算回路２０は画質制御回路２０Ａとバックライト輝度制御回路２０Ｂを有している。制御演算回路２０には、映像信号の明るさ検出回路１９からの下記の検出信号が供給されている。
【００２１】
明るさ検出回路１９はＡＰＬ検出回路１９Ａと、ＭＡＸ輝度検出回路１９Ｂと、ＭＩＮ輝度検出回路１９Ｃを有している。ＡＰＬ検出回路１９Ａには外部回路から入力される映像信号が入力され、その平均輝度レベル（Average Picture Level）を検出し、ＭＡＸ輝度検出回路１９ＢとＭＩＮ輝度検出回路１９Ｃは、それぞれ映像輝度信号の最大値と最小値を検出する。明るさ検出回路１９で検出された平均輝度レベルおよび最大輝度値と最小輝度値は画質制御計算回路２０Ａに入力され、画質制御量が計算される。
【００２２】
制御・演算回路２０の画質制御計算回路２０Ａで計算された画質制御量は、輝度バックライト制御回路２０Ｂに供給され、最適な調光信号を生成して発光ダイオード駆動回路２１を通して発光ダイオードアレイ７に印加される。表示する映像信号の輝度に関わるこの調光信号に応じて、発光ダイオードアレイ７は高速に調光制御される。
【００２３】
また、制御・演算回路２０の画質制御回路２０Ａで計算された画質制御量は、先の画質制御回路１８のコントラスト制御回路１８ＡとＤＣレベル制御回路１８Ｂに印加される。コントラスト制御回路１８ＡとＤＣレベル制御回路１８Ｂは、入力した画質制御量に応じて、映像表示信号のコントラストとＤＣレベルを視覚上で好ましく表示されるような最適値に制御する。
【００２４】
表示する映像輝度信号の平均値、最大値と最小値を参照して、表示する映像のコントラストやＤＣレベルを制御する技術が知られているが、本実施例では平均値、最大値と最小値を参照して、さらにバックライトの制御を行うことを一つの特徴としている。
【００２５】
熱陰極蛍光ランプ４は、通常は点灯回路１３により映像表示信号の輝度変化に関係なく、例えば映像信号の平均輝度レベルが得られる程度の余裕のある低電流で交流駆動される。
ユーザの指定により、ユーザが省電力モードを選択した場合には発光ダイオードアレイ７のみ駆動し、更に、ユーザが高輝度モードを選択した場合には熱陰極蛍光ランプ４と同時駆動を行い、発光ダイオードアレイ７の光量で、輝度を増加するよう制御されることも可能である。
【００２６】
または熱陰極蛍光ランプ４の照度が落ちた場合、および熱陰極蛍光ランプ４の照度が規定値より落ちた場合、即ち残る寿命が少ない場合、或いは周辺温度が低く熱陰極蛍光ランプ４の照度が低い場合には、発光ダイオードアレイ７のみ駆動させることを特徴とする。これらは、照度センサ回路２２Ａ及び温度センサ回路２２Ｂを用いてＬＣＤパネル１４における照度や温度を検出し、画質制御回路２０Ａに供給することでも実施できる。
したがって、本実施例により、ユーザの選択によって、交流駆動が必要な熱陰極ランプ４の駆動電源である点灯回路１３の電力を低減することができ、そのため発熱量が低減され、結果として温度上昇による熱陰極ランプ自体の劣化が抑圧されて長寿命化も達成できる。
【００２７】
また、映像信号がある閾値以上になった場合のみ、熱陰極ランプ４と発光ダイオードアレイ７を同時点灯させることが可能で、熱陰極ランプ４のみで得ていた特性に、発光ダイオードアレイ７で発光のピーク強度特性を付加させることも可能となる点は、言うまでもない。
更に、液晶パネルのカラーγ特性は、発光ダイオードアレイ７単独、および発光ダイオードアレイ７と熱陰極蛍光ランプ４の同時点灯の際には、各点灯のモードにより色再現性を向上できる値を設定するため、いかなる点灯の条件でも高画質性能を実現できる。
【００２８】
以上説明した実施例により、映像信号の明るさに応じてバックライトの光量を高速に制御し、熱陰極蛍光ランプ４の発光効率の向上を図り、電力消費を低減できる。また発光ダイオードアレイ７の発光制御によりバックライトのダイナミックレンジを拡大して全体としてのダイナミックレンジの幅を広くし、或いは発光ダイオードアレイ７の照度に応じて熱陰極蛍光ランプ４の照度を下げることで、熱陰極蛍光ランプ４の寿命を延ばすことができる。
【００２９】
図４は、本発明の第１の実施形態での発光輝度を示す第１のタイムチャートであり、液晶表示装置のバックライトとして熱陰極蛍光ランプ４及び発光ダイオードアレイ７の双方を併用して、発光輝度（図の縦軸）を時間（図の横軸）とともに制御する例を示す。
前記各実施例と同一参照符号は同一機能部分に対応する。本実施例では、バックライトの光源に前記図３で説明した熱陰極ランプ４と発光ダイオードアレイ７を組み合わせたものを用い、その駆動回路として前記図３に示した回路構成を利用したものである。
【００３０】
発光ダイオードアレイ７のみ駆動する場合は（図中の期間Ａ）、熱陰極蛍光ランプ４の点灯回路１３の電源をオフする。同様に熱陰極蛍光ランプ４のみ駆動する場合は（図中の期間Ｂ）、発光ダイオードアレイ７の点灯回路２１の電源をオフすることを特徴とする。つまり熱陰極蛍光ランプ４の点灯回路１３に供給される電源を使用しない場合はカットし、より微小な電力も抑制をすることで更に消費電力を低減させることが可能になる。
【００３１】
また図５は、本発明の第１の実施形態での発光輝度を示す第２のタイムチャートであり、発光ダイオードアレイ７のみを使用する例を示す。この場合は、図に示すように、熱陰極蛍光ランプ４の点灯回路１３からの電源をカット（オフ）し、発光ダイオードアレイ７のみで駆動することを特徴とする。
【００３２】
図４は、例えば液晶表示装置周辺の明るさに応じた制御を行う場合に相当する。周辺が比較的暗い夜間は、表示画像の明るさをさほど必要としないので、期間Ａのように発光ダイオードアレイ７のみを点灯させてバックライトとする。一方、昼間は表示画像の明るさが必要であるので、期間Ｂのように熱陰極蛍光ランプ４を点灯させてバックライトとする。もちろん昼間は熱陰極蛍光ランプ４と発光ダイオードアレイ７の双方を点灯させても良い。このようにすれば、夜間の消費電力を低減でき、また昼間は周辺光に妨害されることなく高画質な映像を表示することができる。
また熱陰極蛍光ランプ４の照度が、周辺温度の変化や寿命による使用中の劣化などにより変化する場合には、その変化に応じて期間Ｂのように発光ダイオードアレイ７に切換え、或いは熱陰極蛍光ランプ４と発光ダイオードアレイ７の双方を点灯させると良い。
【００３３】
図５は、例えば液晶表示装置が寝室など常に暗い場所に設置された場合に適用できる。すなわち明るさをさほど必要としない場合には、常に発光ダイオードアレイ７のみを点灯させることで、消費電流を低減できる。
また前記したように周辺温度が低く、或いは残る寿命が少ないなどにより、熱陰極蛍光ランプ４の照度が低い場合には、図５のように常に発光ダイオードアレイ７のみを点灯させると良い。
【００３４】
図４と図５のいずれでも、ユーザが手動で切換えても良い。また、例えば熱陰極蛍光ランプ４の照度に関しては、図３に示した照度センサ回路２２Ａを用いて検出し、自動で切換えても良い。液晶表示装置周辺の明るさについても、同様に照度センサ回路を備えて検出し、自動で切換えても良い。
【００３５】
図６は、本発明の第２の実施形態での発光輝度と周辺温度の関係を示す図であり、周辺温度（図の横軸）に応じて液晶表示装置のバックライトの発光輝度（図の縦軸）を制御する例を示す。
前記各実施例と同一参照符号は同一機能部分に対応する。本実施例では、バックライトの光源に前記図３で説明した熱陰極ランプ４と発光ダイオードアレイ７を組み合わせたものを用いる。図３の温度センサ２２ＢがＬＣＤパネル１４の温度を検知し、画質制御回路２０Ａに温度情報を供給する。これに基づき制御演算回路２０は、例えば次のようにバックライトを制御する。
【００３６】
まず温度が例えば１５度（摂氏）以下と低い場合、及び３５度以上と高い場合は、熱陰極ランプ４の発光効率が低いので、発光ダイオードアレイ７のみを点灯させ消費電流を低減する。１５度から３５度の間では熱陰極ランプ４の発光効率が高いので、熱陰極ランプ４のみを点灯させて明るいバックライトを得られるようにする。或いは熱陰極ランプ４と発光ダイオードアレイ７のいずれかを選択できるようにする。これも図４と同様にユーザが手動で切換えても良く、また例えば温度センサ回路２２Ｂを備えて自動で切換えても良い。照度センサ回路２２Ａを備えて熱陰極ランプ４の照度を検出し自動で切換えても良い。
【００３７】
なお、いずれの場合でも熱陰極ランプ４の残る寿命が少なくなった場合は、発光ダイオードアレイ７のみを駆動する。液晶表示装置には電源立上げ毎に、熱陰極蛍光ランプが寿命と判断できる蛍光ランプ交換マークなどを表示させ、ランプ交換をユーザに情報提示し、発光ダイオードアレイ７のみを駆動するようにすると良い。
【００３８】
図７は、本発明の第３の実施形態での発光輝度と水平方向位置の関係を示す図であり、液晶表示装置の配向特性を改善するために用いた例を示す。
熱陰極ランプ４の配向特性においては、残る寿命が少なくなるとともに管周辺での発光特性が急激に落ちる傾向がある。これを改善するため、本実施形態では周辺部で発光ダイオードアレイ７を点灯させることにより、発光特性の改善を行うことを特徴としている。すなわち、周辺部では熱陰極ランプ４の明るさの低下を補うように発光ダイオードアレイ７を点灯させ、中心部では熱陰極ランプ４の明るさの低下が問題でないならば熱陰極ランプ４のみを点灯させる。これにより熱陰極ランプ４の寿命による画質の低下を補償することができる。
【００３９】
図８及び図９は、本発明の第４の実施形態での消費電力を示す第１及び第２のタイムチャートであり、場合に応じて液晶表示装置の点灯回路を切換える例を示す図である。
本実施例では、バックライトの光源を表示するコンテンツにより切換えを行うことを特徴としている。すなわち図８においては、Ａチャンネルで放送される例えば１時間程度の比較的短いニュース番組を視聴する時は、発光ダイオードアレイ７をバックライトとして用いる。これにより、やや明るさが暗くとも消費電力を低減することができる。またＢチャンネルで放送される例えば２時間程度の比較的長いエンターテイメント番組を視聴する時は、熱陰極蛍光ランプ４をバックライトとして用いる。これにより、娯楽番組を明るい画像で楽しむことができる。このための切換えはユーザが手動で行っても良く、また液晶表示装置側で番組の種類を判別して自動的に切換えても良い。
【００４０】
図９においては、コマーシャル（ＣＭ）を放送中は発光ダイオードアレイ７に、番組コンテンツを放送中は熱陰極蛍光ランプ４に切換えてバックライトとして用いる。これにより比較的優先度の低い画像は消費電力の低減を優先し、優先度の高い画像は明るさを優先して表示できる。このための切換えはユーザが手動で行っても良いが、コマーシャルを自動判別する技術が知られているので、液晶表示装置側でコマーシャルを判別して自動的に切換えても良い。
【００４１】
なお、図４、図６、図８と図９のいずれの場合においても、熱陰極蛍光ランプ４を点灯させてバックライトとして用いる際に、同時に発光ダイオードアレイ７も点灯させても良い。この場合は前記したように、バックライトのダイナミックレンジを拡大することができ、或いは発光ダイオードアレイ７の照度に応じて熱陰極蛍光ランプ４の照度を下げることで、熱陰極蛍光ランプ４の寿命を延ばすことができる。
【００４２】
以上説明した実施例により、周辺の明るさや温度、或いは映像信号の明るさや内容に応じてバックライトの光量制御を高速に制御することで、発光効率を向上でき消費電力を低減できる。必要な場合に明るい高画質な画像とすることができる。また発光ダイオードアレイの発光制御によりバックライトのダイナミックレンジを拡大して全体としてのダイナミックレンジの幅を広くし、さらに熱陰極蛍光ランプの寿命を延ばすことができる。
【００４３】
以上説明した実施例は本発明を限定するものではない。図３の回路ブロック図には異なる例が考えられ、また図４から図９で示した例以外にも応用例が考えられるが、いずれも本発明の範疇にある。
【符号の説明】
【００４４】
４：熱陰極蛍光ランプ、５：ランプ駆動回路、６：発光ダイオード駆動回路、７：発光ダイオードアレイ、８：導光板、９：反射板、１０：拡散板、１１：ランプ反射シート、１４：ＬＣＤパネル、１５：ＬＣＤドライバー、１７：ＬＣＤパネルコントローラ。
【図１】
2011118286.tif 000003
【図２】
2011118286.tif 000004
【図３】
2011118286.tif 000005
【図４】
2011118286.tif 000006
【図５】
2011118286.tif 000007
【図６】
2011118286.tif 000008
【図７】
2011118286.tif 000009
【図８】
2011118286.tif 000010
【図９】
2011118286.tif 000011